(57)【特許請求の範囲】
【請求項１】
一方の端部近傍に貫通孔が形成された複数の羽根片と、
複数の前記羽根片の前記貫通孔に共通して挿入される軸部材と、を備え、
収納状態において、各羽根片は、前記貫通孔を回転中心として略同一の回転位置に揃えられるとともに、
展開状態において、各羽根片は、前記貫通孔を回転中心として異なる回転位置にずらされて保持されるようになっており、
複数の前記羽根片は、中心羽根片と、前記中心羽根片の第１面側に重ねられる第１系統の羽根片と、前記中心羽根片の前記第１面の裏面である第２面側に重ねられる第２系統の羽根片と、から構成され、
前記中心羽根片には、両面に短円柱形状の凸部が設けられ、
前記第１系統の羽根片のうち、端部以外の羽根片は、表面に凹部が設けられるとともに裏面に凸部が設けられ、端部の羽根片は、表面に凹部が設けられ、
前記第２系統の羽根片のうち、端部以外の羽根片は、表面に凸部が設けられるとともに裏面に凹部が設けられ、端部の羽根片は、裏面に凹部が設けられる、パーテーション。
【請求項２】
一方の羽根片に形成された所定長さの円弧状の凹部と、隣接する他方の羽根片に形成された凸部と、が嵌合した状態で回転方向に摺動することによって、各羽根片が所定の回転位置に保持されるようになっている、請求項１に記載された、パーテーション。
【請求項３】
展開状態において、展開された複数の前記羽根片の外縁で構成される全体形状が、半円形又は四角形となっている、請求項１又は請求項２に記載された、パーテーション。
【請求項４】
複数の前記羽根片を支持する支持台であって、複数の前記羽根片の法線方向に所定幅を有するように形成された支持台をさらに備える、請求項１乃至請求項３のいずれか一項に記載された、パーテーション。
【発明の詳細な説明】
【技術分野】
【０００１】
本発明は、携帯可能なパーテーションに関するものである。
【背景技術】
【０００２】
近年、飛沫を防止する感染症対策アイテムとして、空間を仕切るパーテーションが使用されることが多くなっている。このパーテーションは、自立型、又は、吊り下げ型のように、建物内の特定の場所に固定して使用される場合が一般的である。
【０００３】
例えば、特許文献１には、長尺帯状の仕切りシート本体と、支持部材挿入部とを備え、支持部材挿入部に挿入された支持部材が設置面に立設されるにより、仕切りシート本体が複数の支持部材間に架設された状態で任意の形状に空間を仕切る構成とされた空間仕切り部材が開示されている。
【先行技術文献】
【特許文献】
【０００４】
【特許文献１】特開２０１２−２２５０８９号公報
【発明の概要】
【発明が解決しようとする課題】
【０００５】
しかしながら、ｗｉｔｈコロナ時代になり、個人が移動先において飛沫防止用にパーテーションを必要とする時に、移動先に携帯可能であり、かつ、展開／収納が容易なパーテーションが求められる。
【０００６】
そこで、本発明は、移動先に携帯可能であり、かつ、展開／収納が容易なパーテーションを提供することを目的としている。
【課題を解決するための手段】
【０００７】
前記目的を達成するために、本発明のパーテーションは、一方の端部近傍に貫通孔が形成された複数の羽根片と、複数の前記羽根片の前記貫通孔に共通して挿入される軸部材と、を備え、収納状態において、各羽根片は、前記貫通孔を回転中心として略同一の回転位置に揃えられるとともに、展開状態において、各羽根片は、前記貫通孔を回転中心として異なる回転位置にずらされて保持されるようになっている。
【発明の効果】
【０００８】
このように、本発明のパーテーションは、一方の端部近傍に貫通孔が形成された複数の羽根片と、複数の羽根片の貫通孔に共通して挿入される軸部材と、を備え、収納状態において、各羽根片は、貫通孔を回転中心として略同一の回転位置に揃えられるとともに、展開状態において、各羽根片は、貫通孔を回転中心として異なる回転位置にずらされて保持されるようになっている。このような構成であれば、移動先に携帯可能であり、かつ、展開／収納が容易なパーテーションとなる。
【図面の簡単な説明】
【０００９】
【図１】実施例１の半円形のパーテーションを展開した正面図である。
【図２】実施例１の半円形のパーテーションを収納した正面図である。
【図３】実施例１のパーテーションを部品に分解した分解図である。
【図４】図１のＡ−Ａ断面図である。
【図５】実施例２の四角形のパーテーションを展開した正面図である。
【図６】実施例２の四角形のパーテーションを収納した正面図である。
【図７】実施例２のパーテーションを部品に分解した分解図である。
【発明を実施するための形態】
【００１０】
以下、本発明の実施の形態について図面を参照して説明する。ただし、以下の実施例に記載されている構成要素は例示であり、本発明の技術範囲をそれらのみに限定する趣旨のものではない。以下では、実施例１で半円形のパーテーションについて説明し、実施例２で四角形のパーテーションについて説明する。
【実施例１】
【００１１】
（構成）
まず、図１〜図４を用いて実施例１の半円形のパーテーションＰ１の構成について説明する。パーテーションＰ１は、図１、図２に示すように、複数の羽根片１０、２１−２４、３１−３４と、軸部材４０と、を備えている。また、パーテーションＰ１は、複数の羽根片１０、２１−２４、３１−３４の全体を支持する支持台５０をさらに備えている。
【００１２】
複数の羽根片１０、２１−２４、３１−３４は、図３、図４に示すように、１枚の中心羽根片１０と、中心羽根片１０の第１面側（図１では奥側）に重ねられる第１系統の４枚の羽根片２１−２４と、中心羽根片１０の第１面の裏面である第２面側（図１では手前側）に重ねられる４枚の第２系統の羽根片３１−３４と、から構成される。
【００１３】
なお、ここでは第１系統の羽根片２１−２４及び第２系統の羽根片３１−３４を、それぞれ４枚ずつであるとして説明したが、これに限定されるものではなく、羽根片の枚数は適宜に決めることができる。また、羽根片１０、２１−２４、３１−３４の素材は、特に限定されるものではないが、透明又は半透明の合成樹脂によって形成されることが好ましい。また、羽根片１０、２１−２４、３１−３４の厚みや枚数を増やすことによって、展開状態の奥行を増大させて自立させることもできる。
【００１４】
これらの羽根片１０、２１−２４、３１−３４は、図３に示すように、略同一の扇形の板状に形成されており、一方の端部近傍は半円状に丸くされて、半円の中心付近に貫通孔１０ｃ、２１ｃ−２４ｃ、３１ｃ−３４ｃが設けられている。そして、この貫通孔１０ｃ、２１ｃ−２４ｃ、３１ｃ−３４ｃに扇の要である軸部材４０が挿通されて全体が束ねられている。
【００１５】
中心羽根片１０は、半円形のパーテーションＰ１の左右中心に配置される羽根片であり、貫通孔１０ｃの少し上の位置の両面に短円柱状の凸部１０ａ、１０ａが設けられる。すなわち、中心羽根片１０の一方側である表面（図３では手前の面）に凸部１０ａが設けられるとともに、他方側である裏面（図３では奥の面）に凸部１０ａが設けられる。
【００１６】
第１系統の羽根片２１−２４のうち、端部以外の羽根片２１−２３には、貫通孔２１ｃ−２３ｃの少し上の位置の両面に短円柱状の凸部２１ａ−２３ａ又は円弧溝状の凹部２１ｂ−２３ｂが設けられる。すなわち、羽根片２１−２３の一方側である表面に凹部２１ｂ−２３ｂが設けられるとともに、他方側である裏面に凸部２１ａ−２３ａが設けられる。
【００１７】
第１系統の羽根片２１−２４のうち、端部の羽根片２４には、貫通孔２４ｃの少し上の位置の片面に円弧溝状の凹部２４ｂが設けられる。すなわち、羽根片２４の一方側である表面に凹部２４ｂが設けられる。
【００１８】
より詳細に言うと、凹部２１ｂ−２４ｂは、貫通孔２１ｃ−２４ｃを中心とした所定の半径の円弧に沿って形成される。凹部２１ｂ−２４ｂの始まりの位置は、展開状態での凸部１０ａ、２１ａ−２３ａの位置に対応しており、凹部２１ｂ−２４ｂの終わりの位置は、収納状態での凸部１０ａ、２１ａ−２３ａの位置に対応している。一方、凸部１０ａ、２１ａ−２３ａの位置は、凹部２１ｂ−２４ｂの所定の半径に対応する位置であり、かつ、左右に交互に配置されている（後述）。さらに、凸部２１ａ−２３ａの位置は、凹部２１ｂ−２３ｂの位置と重ならないようになっている。ただし、素材が十分な強度を有する場合には凸部２１ａ−２３ａと凹部２１ｂ−２３ｂとの表裏の位置は重なってもよい。
【００１９】
そして、本実施例では、第１系統の羽根片２１−２４の凸部２１ａ−２３ａと、凹部２１ｂ−２４ｂと、の位置関係が、隣接する羽根片で左右逆に配置されるようになっている。具具体的に言うと、図３に示すように、１番目の羽根片２１では凸部２１ａが左で凹部２１ｂが右にあるが、２番目の羽根片２２では凸部２２ａが右で凹部２２ｂが左にある。このようにすることで、各羽根片において凹部と凸部の位置が重なり合うことを防止しているとともに、羽根片の幅を有効活用できる。
【００２０】
同様に、第２系統の羽根片３１−３４のうち、端部以外の羽根片３１−３３には、貫通孔３１ｃ−３３ｃの少し上の位置の両面に短円柱状の凸部３１ａ−３３ａ又は円弧溝状の凹部３１ｂ−３３ｂが設けられる。すなわち、羽根片２１−２３の一方側である表面に凸部３１ａ−３３ａが設けられるとともに、他方側である裏面に凹部３１ｂ−３３ｂが設けられる。
【００２１】
第２系統の羽根片３１−３４のうち、端部の羽根片３４には、貫通孔３４ｃの少し上の位置の片面に円弧溝状の凹部３４ｂが設けられる。すなわち、羽根片３４の他方側である裏面に凹部３４ｂが設けられる。
【００２２】
より詳細に言うと、凹部３１ｂ−３４ｂは、貫通孔３１ｃ−３４ｃを中心とした所定の半径の円弧に沿って形成される。凹部３１ｂ−３４ｂの始まりの位置は、展開状態での凸部１０ａ、３１ａ−３３ａの位置に対応しており、凹部３１ｂ−３４ｂの終わりの位置は、収納状態での凸部１０ａ、３１ａ−３３ａの位置に対応している。一方、凸部１０ａ、３１ａ−３３ａの位置は、凹部３１ｂ−３４ｂの所定の半径に対応する位置であり、かつ、左右に交互に配置されている（後述）。さらに、凸部３１ａ−３３ａの位置は、凹部３１ｂ−３３ｂの位置と重ならないようになっている。ただし、素材が十分な強度を有する場合には凸部３１ａ−３３ａと凹部３１ｂ−３３ｂとの表裏の位置は重なってもよい。
【００２３】
そして、本実施例では、第２系統の羽根片３１−３４の凸部３１ａ−３３ａと、凹部３１ｂ−３４ｂと、の位置関係が、隣接する羽根片で左右逆に配置されるようになっている。具具体的に言うと、図３に示すように、１番目の羽根片３１では凸部３１ａが右で凹部３１ｂが左にあるが、２番目の羽根片３２では凸部３２ａが左で凹部３２ｂが右にある。このようにすることで、各羽根片において凹部と凸部の位置が重なり合うことを防止しているとともに、羽根片の幅を有効活用できる。
【００２４】
なお、上述した凹部及び凸部については、凸部１０ａ（２１ａ−２３ａ、３１ａ−３３ａ）と、嵌合する凹部２１ｂ（２２ｂ−２４ｂ、３１ｂ−３４ｂ）と、が同一高さ（深さ）であるか、溝深さの方がやや深くされることが好ましい。さらに、これらの凸部１０ａ（２１ａ−２３ａ、３１ａ−３３ａ）の突起高さも凹部２１ｂ（２２ｂ−２４ｂ、３１ｂ−３４ｂ）の溝深さもいずれも羽根片の板厚よりも小さい範囲内に形成される。
【００２５】
また、凹部２１ｂ（２２ｂ−２４ｂ、３１ｂ−３４ｂ）の形状は円弧状とされており、凹部２１ｂ（２２ｂ−２４ｂ、３１ｂ−３４ｂ）に嵌合する対応する凸部１０ａ（２１ａ−２３ａ、３１ａ−３３ａ）が貫通孔１０ｃ（２１ｃ−２４ｃ、３１ｃ−３４ｃ）を中心として摺動可能となっている。
【００２６】
さらに、円弧状に延びる凹部２１ｂ（２２ｂ−２４ｂ、３１ｂ−３４ｂ）の一端部に凸部１０ａ（２１ａ−２３ａ、３１ａ−３３ａ）が位置する場合には、羽根片１０、２１−２４、３１−３４が互いに完全に重畳されて収納状態となり、円弧状に延びる凹部２１ｂ（２２ｂ−２４ｂ、３１ｂ−３４ｂ）の他端部に凸部１０ａ（２１ａ−２３ａ、３１ａ−３３ａ）が位置する場合には、羽根片１０、２１−２４、３１−３４が完全に展開されて展開状態となるように、凹部２１ｂ（２２ｂ−２４ｂ、３１ｂ−３４ｂ）の幅が決められている。
【００２７】
軸部材４０は、図２、図３に示すように、ボルト・ナットから形成される軸であり、すべての羽根片１０、２１−２４、３１−３４の貫通孔１０ｃ、２１ｃ−２４ｃ、３１ｃ−３４ｃに共通して挿入されることで、すべての羽根片１０、２１−２４、３１−３４を収納／展開できるように束ねている。なお、軸部材４０は、ボルト・ナットのように締め付けによって羽根片１０、２１−２４、３１−３４を押し付けて固定する形態でなくても、回転自在に束ねるものであればよく、例えばカシメ等であってもよい。
【００２８】
支持台５０は、複数の羽根片１０、２１−２４、３１−３４を支持する支持台５０であって、複数の羽根片１０、２１−２４、３１−３４の法線方向に所定幅を有するように形成されている。具体的には、支持台５０は、図２、図３に示すように、コ字状の断面を有しており、一部分のみ立ち上がり部が切り欠かれており、この切り欠き部に、複数の羽根片１０、２１−２４、３１−３４が嵌合されるようになっている。
【００２９】
（作用）
次に、パーテーションＰ１の作用について説明する。パーテーションＰ１は、図４（ｂ）に示すように、収納時には、複数の羽根片１０、２１−２４、３１−３４が完全に重ね合わされる。また、パーテーションＰ１は、図４（ａ）に示すように、展開時には、複数の羽根片１０、２１−２４、３１−３４が円周方向にずらされて展開される。
【００３０】
つまり、収納時には、図２、図４（ｂ）に示すように、各羽根片１０（２１−２４、３１−３４）は、軸部材４０を回転中心として、略同一の回転位置に揃えられている。すなわち、すべての羽根片１０、２１−２４、３１−３４が、図４（ｂ）に示す円周角９０度の位置に整列されている。なお、この収納状態では、各羽根片１０（２１−２４、３１−３４）が重ね合わされた状態で、軸部材４０を締め付けて位置を固定することができる。さらに、全体を巾着袋に収容する等によってバラバラに展開されないようにすることも好ましい。
【００３１】
一方で、展開時には、図１、図４（ａ）に示すように、各羽根片１０（２１−２４、３１−３４）は、軸部材４０を回転中心として、異なる回転位置にずらされて保持されている。すなわち、各羽根片１０（２１−２４、３１−３４）が、図４（ａ）に示すように１８０度の範囲に８等分された円周角の位置（９か所）にずらされている。
【００３２】
具体的には、紙面奥側の第１系統では、中心羽根片１０を中心として、羽根片２１は２２．５度だけ左に傾斜した位置、羽根片２２は４５度だけ左に傾斜した位置、羽根片２３は６７．５度だけ左に傾斜した位置、羽根片２４は９０度だけ左に傾斜した位置に回転される。
【００３３】
同様に、紙面手前側の第２系統では、中心羽根片１０を中心として、羽根片３１は２２．５度だけ右に傾斜した位置、羽根片３２は４５度だけ右に傾斜した位置、羽根片３３は６７．５度だけ右に傾斜した位置、羽根片３４は９０度だけ右に傾斜した位置に回転される。
【００３４】
この展開状態では、各羽根片１０（２１−２４、３１−３４）が互いにずらされた状態で、凸部１０ａ（２１ａ−２３ａ、３１ａ−３３ａ）は、円弧状の凹部２１ｂ（２２ｂ−２４ｂ、３１ｂ−３４ｂ）の長さ範囲の最も内側の位置に当接している。すなわち、羽根片１０（２１−２４、３１−３４）の自重によって、位置が決まるようになっている。
【００３５】
例えば、中心羽根片１０の凸部１０ａは、羽根片２１に設けた凹部２１ｂにおいて最も右側に掛止されている。逆に言うと、羽根片２１は、最も左側に回転（展開）した位置となっている。このように第１系統の羽根片２１−２４は、それ自体の重量によって最も広がった状態に展開されている。同様に、第２系統の羽根片３１−３４は、それ自体の重量によって最も広がった状態に展開されている。
【００３６】
（効果）
次に、本実施例のパーテーションＰ１の奏する効果を列挙して説明する。
【００３７】
（１）上述してきたように、本実施例のパーテーションＰ１は、一方の端部近傍に貫通孔１０ｃ（２１ｃ−２４ｃ、３１ｃ−３４ｃ）が形成された複数の羽根片１０、２１−２４、３１−３４と、複数の羽根片１０、２１−２４、３１−３４の貫通孔１０ｃ（２１ｃ−２４ｃ、３１ｃ−３４ｃ）に共通して挿入される軸部材４０と、を備え、収納状態において、各羽根片１０（２１−２４、３１−３４）は、貫通孔１０ｃ（２１ｃ−２４ｃ、３１ｃ−３４ｃ）を回転中心として略同一の回転位置に揃えられるとともに、展開状態において、各羽根片１０（２１−２４、３１−３４）は、貫通孔１０ｃ（２１ｃ−２４ｃ、３１ｃ−３４ｃ）を回転中心として異なる回転位置にずらされて保持されるようになっている。このような構成であれば、移動先に携帯可能であり、かつ、展開／収納が容易なパーテーションＰ１となる。
【００３８】
つまり、パーテーションＰ１は、板状プラスチックで形成された同一形状の複数の羽根片１０、２１−２４、３１−３４が回転中心で束ねられ、展開状態においては、複数の羽根片１０、２１−２４、３１−３４が縁部のみで重畳するように展開され、収納状態においては、複数の羽根片１０、２１−２４、３１−３４が完全に重畳されるので、展開時には十分な面積にまで展開されることが可能であるとともに、収納時には嵩張らず小型・軽量で持ち運びにも便利である。
【００３９】
（２）また、一方の羽根片２１（２２−２４、３１−３４）に形成された所定長さの円弧状の凹部２１ｂと、隣接する他方の羽根片１０（２２−２４、３１−３４）に形成された凸部１０ａ（２１ａ−２３ａ、３１ａ−３３ａ）と、が嵌合した状態で回転方向に摺動することによって、各羽根片１０（２１−２４、３１−３４）が所定の回転位置に保持されるようになっている。このような構成であれば、簡易な構造によって、円周方向に回転し、かつ、所定の位置で停止する構造を実現できる。
【００４０】
（３）さらに、複数の羽根片１０、２１−２４、３１−３４は、中心羽根片１０と、中心羽根片１０の第１面側に重ねられる第１系統の羽根片２１−２４と、中心羽根片１０の第１面の裏面である第２面側に重ねられる第２系統の羽根片３１−３４と、から構成されることで、自重を用いて羽根片２１−２４、３１−３４を展開して形状を保持することができる。
【００４１】
（４）また、展開状態において、展開された複数の羽根片１０、２１−２４、３１−３４の外縁で構成される全体形状が、半円形となっているため、様々な場面、用途に、パーテーションＰ１を用いることができる。つまり、複数の羽根片１０、２１−２４、３１−３４を略同一形状とすることで、収納状態では小型で携帯に便利でありながら、展開状態では広い面積を構成することができる。
【００４２】
（５）さらに、複数の羽根片１０、２１−２４、３１−３４を支持する支持台５０であって、複数の羽根片１０、２１−２４、３１−３４の法線方向に所定幅を有するように形成された支持台５０をさらに備えることで、パーテーションＰ１を安定的に自立させることが可能となる。
【００４３】
その他、本実施例のパーテーションＰ１は、以下の効果も奏する。
【００４４】
また、上述のパーテーションＰ１は、好ましくは円弧状の凹部２１ｂの端部に凸部１０ａがある場合に複数の羽根片１０、２１−２４、３１−３４が完全に重畳され、円弧状の凹部２１ｂの他の端部に凸部１０ａがある場合に複数の羽根片１０、２１−２４、３１−３４が半径の辺縁部で互いに重畳するように展開されるので、過剰に展開されてしまう状態、すなわち開き過ぎて複数の羽根片１０、２１−２４、３１−３４どうしが離間してしまいパーテーションとしての機能を果たさなくなる開き過ぎを防止できる。
【００４５】
また、収納時には、平面視における総面積が最小となるように、複数の羽根片１０、２１−２４、３１−３４の全てが完全に重畳した収納状態に容易に移行させることが可能となる。換言すれば、収納時／展開時との２つの状態間の移行を、安全、確実かつ迅速に遂行でき、ユーザが目視等により微調整等を行う必要がないように、各々の所定配置位置にて複数の羽根片１０、２１−２４、３１−３４を停止させ得る。
【実施例２】
【００４６】
以下、図５−図７を用いて、実施例１とは別の形状のパーテーションＰ２について説明する。なお、前記実施の形態で説明した内容と同一乃至均等な部分の説明については同一符号を付して説明する。
【００４７】
（構成）
まず、実施例２の四角形のパーテーションＰ２の構成について説明すると、パーテーションＰ２は、図１、図２に示すように、複数の羽根片１０、２１−２４、３１−３４と、軸部材４０と、を備えている。また、パーテーションＰ１は、複数の羽根片１０、２１−２４、３１−３４の全体を支持する支持台５０をさらに備えている。
【００４８】
複数の羽根片１０、２１−２４、３１−３４は、図５−図７に示すように、１枚の中心羽根片１０と、中心羽根片１０の第１面側（図５では奥側）に重ねられる第１系統の４枚の羽根片２１−２４と、中心羽根片１０の第１面の裏面である第２面側（図５では手前側）に重ねられる４枚の第２系統の羽根片３１−３４と、から構成される。
【００４９】
そして、本実施例のパーテーションＰ２の展開状態の全体形状は、四角形となっている。すなわち、展開された複数の羽根片１０、２１−２４、３１−３４の外縁で構成される全体形状が、四角形となっている。
【００５０】
（作用・効果）
【００５１】
次に、本実施例のパーテーションＰ２の奏する作用・効果について説明する。
【００５２】
（１）本実施例のパーテーションＰ２は、一方の端部近傍に貫通孔１０ｃ（２１ｃ−２４ｃ、３１ｃ−３４ｃ）が形成された複数の羽根片１０、２１−２４、３１−３４と、複数の羽根片１０、２１−２４、３１−３４の貫通孔１０ｃ（２１ｃ−２４ｃ、３１ｃ−３４ｃ）に共通して挿入される軸部材４０と、を備え、収納状態において、各羽根片１０（２１−２４、３１−３４）は、貫通孔１０ｃ（２１ｃ−２４ｃ、３１ｃ−３４ｃ）を回転中心として略同一の回転位置に揃えられるとともに、展開状態において、各羽根片１０（２１−２４、３１−３４）は、貫通孔１０ｃ（２１ｃ−２４ｃ、３１ｃ−３４ｃ）を回転中心として異なる回転位置にずらされて保持されるようになっている。このような構成であれば、移動先に携帯可能であり、かつ、展開／収納が容易なパーテーションＰ１となる。
【００５３】
つまり、パーテーションＰ１は、板状プラスチックで形成された同一形状の複数の羽根片１０、２１−２４、３１−３４が回転中心で束ねられ、展開状態においては、複数の羽根片１０、２１−２４、３１−３４が縁部のみで重畳するように展開され、収納状態においては、複数の羽根片１０、２１−２４、３１−３４が完全に重畳されるので、展開時には十分な面積にまで展開されることが可能であるとともに、収納時には嵩張らず小型・軽量で持ち運びにも便利である。
【００５４】
（２）また、展開状態において、展開された複数の羽根片１０、２１−２４、３１−３４の外縁で構成される全体形状が、四角形となっているため、様々な場面、用途に、パーテーションＰ２を用いることができる。すなわち、複数の羽根片１０、２１−２４、３１−３４をそれぞれ異なる形状とすることで、収納状態では小型で携帯に便利でありながら、展開状態では四角形の整形された広い面積を構成することができる。このように四角形であれば、オフィス空間にもなじみやすく、机上に配置しても自然な見た目となる。
【００５５】
なお、この他の構成および作用効果については、実施例１と略同様であるため説明を省略する。
【００５６】
以上、図面を参照して、本発明の実施例１、２を詳述してきたが、具体的な構成は、この実施例に限らず、本発明の要旨を逸脱しない程度の設計的変更は、本発明に含まれる。
【００５７】
例えば、実施例１、２では、特に説明しなかったが、羽根片１０、２１−２４、３１−３４には、社名や、ＰＲ文言や、絵柄などを描画することも可能である。もちろん、羽根片１０、２１−２４、３１−３４に着色することもできる。
【符号の説明】
【００５８】
Ｐ１：パーテーション；  Ｐ２：パーテーション；
１０：中心羽根片；
１０ａ：凸部；  １０ｃ：貫通孔；
２１−２４：第１系統の羽根片；
２１ａ：凸部；  ２１ｂ：凹部；  ２１ｃ：貫通孔；
２２ａ：凸部；  ２２ｂ：凹部；  ２２ｃ：貫通孔；
２３ａ：凸部；  ２３ｂ：凹部；  ２３ｃ：貫通孔；
２４ｂ：凹部；  ２４ｃ：貫通孔；
３１−３４  第２系統の羽根片；
３１ａ：凸部；  ３１ｂ：凹部；  ３１ｃ：貫通孔；
３２ａ：凸部；  ３２ｂ：凹部；  ３２ｃ：貫通孔；
３３ａ：凸部；  ３３ｂ：凹部；  ３３ｃ：貫通孔；
３４ｂ：凹部；  ３４ｃ：貫通孔；
４０：軸部材；  ５０：支持台
【要約】      （修正有）【課題】移動先に携帯可能であり、かつ、展開／収納が容易なパーテーションを提供する。【解決手段】パーテーションＰ１は、一方の端部近傍に貫通孔が形成された複数の羽根片１０、２１−２４、３１−３４と、複数の羽根片１０、２１−２４、３１−３４の貫通孔に共通して挿入される軸部材４０と、を備え、収納状態において、各羽根片１０（２１−２４、３１−３４）は、貫通孔を回転中心として略同一の回転位置に揃えられるとともに、展開状態において、各羽根片１０（２１−２４、３１−３４）は、貫通孔を回転中心として異なる回転位置にずらされて保持されるようになっている。【選択図】図１【図１】
0006856961.tif 000002
【図２】
0006856961.tif 000003
【図３】
0006856961.tif 000004
【図４】
0006856961.tif 000005
【図５】
0006856961.tif 000006
【図６】
0006856961.tif 000007
【図７】
0006856961.tif 000008